(57)【要約】      （修正有）【課題】持ち運びに便利で誰でもが簡易に手織りができる手織機を提供する。【解決手段】手織機は、上下に略平行な辺を有する可撓性の薄板状の基台１と、この略平行な辺に沿って所定間隔に形成され経糸Ｂを係止する開口部２とを備え、この開口部２の底部を円弧形状に形成する共に開口部２の開口幅を所定幅に形成してなる。また、基台１が台紙や段ボール等の紙製で形成され、経糸Ｂの端部を端止め可能とする切込み部４を基台１に形成し、織物の横糸Ｃに水引を使用してもよい。【選択図】図３
0003176449.tif 000002
【実用新案登録請求の範囲】
【請求項１】
上下に辺を有する薄板状の基台と、この辺に沿って所定間隔に形成され経糸を係止する開口部とを備え、この開口部の開口幅を所定幅に形成する共に開口部の底部を円弧形状に形成することを特徴とする手織機。
【請求項２】
前記基台が台紙や段ボール等の紙製で形成されていることを特徴とする請求項１に記載の手織機。
【請求項３】
経糸の端部を端止め可能とする切込み部を前記基台に形成してなることを特徴とする請求項１乃至２に記載の手織機。
【請求項４】
織物の横糸に水引を使用することを特徴とする請求項１乃至３に記載の手織機。
【考案の詳細な説明】
【技術分野】
【０００１】
本考案は、持ち運びに便利で、簡易に手織りができる手機織に関する。
【背景技術】
【０００２】
手織りの織物は経糸と横糸とを組み合わせて布(面)になり、その出来あがった布の特徴は経糸よりも横糸が目立って仕上がっている。織物の柄等の変化を付けるには、横糸の柄や色を変えるだけでその織物に変化を付けることができる。一方、経糸の太さを変えることにより、経糸の特徴が織られる布の表面に出て変化を付けることができることになる。
【０００３】
従来の手織機では、織物の柄等の変化を付けるために、経糸の太さを変えたい場合は、その都度筬（おさ）に経糸を通す直す作業や、あるいは経糸の太さに応じた筬自体を取り替える必要があり、手間がかかり、大変な作業となっていたものであった。
【先行技術文献】
【特許文献】
【０００４】
【特許文献１】実用新案登録第３０９１４５９号公報
【特許文献２】特開平１１−２４２４２６公報
【考案の概要】
【考案が解決しようとする課題】
【０００５】
特許文献１や特許文献２は、簡単に手織りが可能な織機である。特許文献１及び特許文献２は、上下にある切込みに経糸を引っ掛けて経糸を張り巡らせ、張られた経糸にシャトルにて横糸を通して織物を織るものである。
【０００６】
この特許文献１や特許文献２の経糸を引っ掛ける切込みでは、太い経糸の使用ができないものであり、経糸の太さを変えるにはその太さに応じた切込み巾のものを使用する必要があった。
【０００７】
また、特許文献１や特許文献２では、経糸に横糸を織るにはシャトルが必要なものであり、シャトルを経糸に通すための隙間を開ける必要があり、織物を織る際の手間となっていた。そして、シャトルに横糸を巻きつける作業も必要であり、誰でもが簡単にできるものではなかった。
【０００８】
このようなことから、もっと簡単にいつでも誰でもが織物を簡単に織れる手織機の実現が望まれていた。
【０００９】
本考案の目的は、持ち運びに便利で誰でもが簡易に手織りができる手織機を提供することである。
【課題を解決するための手段】
【００１０】
本考案の請求項１に記載の手織機は、上下に略平行な辺を有する薄板状の基台と、この略平行な辺に沿って所定間隔に形成され経糸を係止する開口部とを備え、この開口部の開口幅を所定幅に形成する共に開口部の底部を円弧形状に形成することを特徴とする。
【００１１】
また、本考案の請求項２に記載の手織機では、基台を紙製で形成してなることを特徴とする。
【００１２】
本考案の請求項３に記載の手織機では、糸の端部を端止め可能なる切込み部を基台に形成してなることを特徴とする。
【００１３】
更に、本考案の請求項４に記載の手織機では、織物の横糸に水引を使用することを特徴とする。
【考案の効果】
【００１４】
本考案の請求項１に記載の手織機によれば、経糸を係止する所定幅の開口部を所定間隔に上下の略平行な辺にそれぞれ形成し、また開口部の底部を円弧形状に形成するので、細い糸から太い糸までの糸の太さの違う経糸を自由に使用することが可能となり、織物に簡単に変化を付けることができるものである。また、開口部の底部を円弧形状に形成するので、糸の太さの違う経糸が開口部の中心に位置させることができ、経糸の間隔が常に一定幅にでき、経糸が揃った織物に仕上げることができるものである。
【００１５】
そして、本考案では、上下の開口部間に経糸を架け替えるだけで経糸の太さを自由に変える事ができ、同じ横糸を使用しても経糸を変える事により織物の仕上がりの違いの面白さを体験することができるものとなる。
【００１６】
また、本考案の請求項２に記載の手織機によれば、基台が紙製で形成されているので、可撓性を有することになり、従って、多数上下に張られている経糸に対して上下交互に横糸を通す際に、横糸を通すことが簡単にでき、横糸を経糸に容易に織り込むことができるものである。
【００１７】
また、本考案の請求項３に記載の手織機によれば、基台に形成された切込み部に経糸の張り始めと張り終わりの端部を端止め可能となり、経糸の端部を簡単に固定することができ、織る際に経糸がほどけることがなく、確実に織ることが出来るものである。
【００１８】
また、本考案の請求項４に記載の手織機によれば、織物の横糸に水引を使用することで、水引自体の硬さを利用して経糸に対して上下交互に横糸を容易に通すことができるものであり、本考案の手織機に適するものである。そして、シャトルを使用せずに織ることができるものであり、手間がかからず、誰でもが織物を簡単に織れるものである。
【図面の簡単な説明】
【００１９】
【図１】本考案に従う手織機の一実施形態を示す斜視図である。
【図２】本考案に従う手織機の要部の拡大した部分を示す図である。
【図３】本考案に従う手織機の使用状態を示す斜視図である。
【考案を実施するための形態】
【００２０】
以下、添付図面を参照して、本考案に従う手織機の実施形態について説明する。まず、図１を参照して、一実施形態の手織機Ａについて説明する。手織機Ａは、上下に略平行な辺１０、１０を有する可撓性を有する薄板状の基台１を備えており、この略平行な辺１０、１０には、開口部２、２、・・・がその辺に沿って所定間隔に形成されている。この開口部２の底部３は、円弧形状に形成れており、開口部２の開口幅は所定幅に設けられている。そして、基台１の左右の側端部には、経糸の張り始めの端部、又は張り終わりの端部を係止して固定する切込み部４、４が形成されている。基台１の上下の辺１０は、平行になる形状で説明したが、基台１が長方形でなく、円形状や台形形状に形成したものであってもよく、平行な辺に限られないものである。
【００２１】
手織機Ａの基台１は、薄板状の可撓性があるものであり、台紙や段ボール等の紙製であればよく、またプラスティックの薄板であってもよい。基台１が可撓性を有するので、経糸Ｂに横糸Ｃを通す際に、基台１を撓ませることができて、経糸Ｂ間に横糸Ｃを交互上下に通しやすくなるものである。
【００２２】
図２のように、経糸Ｂの太さがミシン糸のような細い経糸Ｂ１から荷作り用の細いロープのような太い経糸Ｂ２まで自由に変える事ができるものである。そして、この開口部２底部３が円弧の形状に形成されているので、図２に図示されるように、細い経糸Ｂ１あるいは太い経糸Ｂ２が開口部２に引っ掛け係止されるだけで、経糸Ｂ１、Ｂ２が開口部２の中心に自然と位置されるものである。すなわち、経糸Ｂが基台１に対して、所定間隔に揃って張られることになり、織物にした際に目が揃ったものができることになる。
【００２３】
次に、本発明の一実施形態の手織機Ａの使い方について、図３を参照にしながら説明する。
１）先ず、経糸の掛け始めの端部Ｂａを手織機Ａの基台１の切込み４に係止して固定する。
２）次に、上側の開口部２に経糸Ｂを掛けて係止し、更に基台の裏面側に回して下側の開口部２に掛けて張り、更に経糸Ｂを掛けた上側の隣の開口部２に経糸Ｂを掛けて表側に張り、順次上下の開口部２間に経糸Ｂを架け渡しながら経糸Ｂを張り、経糸Ｂが基台１上に複数本張られる。
３）そして、経糸Ｂの掛け終わりの端部Ｂｂを手織機Ａの基台１の切込み４に係止して固定する。
４）基台１に張られた経糸Ｂの交互に上下となるように水引でなる横糸Ｃを挿通する。順次繰り返して織物Ｄが織られる。この際に、基台２の可撓性を利用するもので、基台２を撓ませながら横糸Ｃを経糸に交互上下に挿通すると、織りやすくなるものである。このようにして、織物が手織りされることになり、コースターや布が完成することになる。
【００２４】
横糸Ｃを織り込んだ裏側の経糸Ｂは、織物が完成した後に切断して、切った経糸Ｂを編み込んだり、括ったりして、織物の端部の処理をする房の部分となるものである。
【００２５】
この実施形態では、横糸Ｃは、例えば、紙芯の表面に細幅に切ったテトロンフィルム巻きつけた水引や少し硬い糸、又は柔らかい針金であれば、少し硬い素材の横糸Ｃにて経糸Ｂを交互に上下にすくうことができ、横糸Ｃを経糸Ｂ間に容易に通すことができるものである。
【００２６】
経糸Ｂを開口部２に張るのは、適宜使用目的に応じて開口部２の位置や係止する数を選択して使用し、例えば、真ん中の開口部２だけを使用してもよく、あるいは、開口部２張った経糸Ｂを左右の部分に分けて別々に織って一度に２つの織物を形成することも可能なものである。あるいは、太さを異なる経糸を使用して、交互に張ってもよいものであり、経糸にいろいろな変化を付けることが可能なものある。
【００２７】
本考案の手織機Ａの基台１は、例えば、上下の縦方向が約２００ｍｍ、幅方向が１５０ｍｍの大きさであり、経糸Ｂが係止する開口部２の開口幅は約３．５〜５ｍｍ、開口部２の底部３までの深さは約５〜１０ｍｍであり、開口部２の所定間隔は約５〜１５ｍｍである。
【００２８】
本考案の手織機Ａが紙製の場合には、紙製の台紙に基台１の外形形状の切り抜きミシン線を入れて、使用する際に、その台紙から基台１を切り抜いて形成するものであってもよいものである。
【００２９】
以上、本考案に従う一実施形態について説明したが、本考案はかかる実施形態に限定されるものではなく、本考案の範囲を逸脱することなく種々の変形乃至修正が可能である。例えば、基台１に色を付けて、織る経糸が見えやすくしてもよいものである。また、開口部２の所定間隔の幅を種々用意してもよいものである。
【符号の説明】
【００３０】
Ａ    手織機
Ｂ    経糸
Ｃ    横糸
Ｄ    織物
１    基台
２    開口部
３    底部
４    切込み部
１０  辺
【図１】
0003176449.tif 000003
【図２】
0003176449.tif 000004
【図３】
0003176449.tif 000005